(57)【特許請求の範囲】
【請求項１】
少なくともアルコールを含む溶剤、洗浄剤および乳化、可溶化剤を配合した原液と、噴射剤とを、噴射装置を備えたエアゾール容器に充填した温水洗浄便座のノズル洗浄用エアゾール製品であって、
前記原液中、前記乳化、可溶化剤は０．１〜５質量％含有され、エアゾール製品中、前記原液が容積比で６０〜９０％であり、
前記噴射剤は、ガス圧が０．２９ＭＰａ／２５℃以上であり、エアゾール製品中、前記噴射剤が容積比で１０〜４０％であり、
噴射により洗浄剤を含む泡が形成され、前記泡が０．０２ｇ／ｍＬ以下の泡比重を有し、かつ泡膨張率が１５０％〜２５０％であることを特徴とする温水洗浄便座のノズル洗浄用エアゾール製品。
【請求項２】
前記乳化、可溶化剤として、ポリオキシエチレン硬化ヒマシ油、ポリオキシエチレンアルキルアミン、ポリオキシエチレンラウリルエーテル硫酸トリエタノールアミン、アルキルヒドロキシスルホベタインからなる群から選ばれたものを用いることを特徴とする請求項１記載の温水洗浄便座のノズル洗浄用エアゾール製品。
【請求項３】
前記洗浄剤として、アルキルグルコシド、アルキル硫酸塩、アルキル硫酸アミン、アルキル硫酸アンモニウム、ポリオキシエチレンアルキル硫酸塩、ポリオキシエチレンアルキル硫酸アミン、ポリオキシエチレンアルキルエーテル酢酸塩からなる群から選ばれたものを用いることを特徴とする請求項１または請求項２記載の温水洗浄便座のノズル洗浄用エアゾール製品。
【発明の詳細な説明】
【技術分野】
【０００１】
本発明は、温水洗浄便座のノズル洗浄用エアゾール製品に関する。
【背景技術】
【０００２】
便座に備えられたノズルから温水を噴出して肛門部分を洗浄する温水洗浄便座が知られている。このような温水洗浄便座は、当初、病院や福祉施設に導入され、次いでホテルやオフィス等に設置され、近年では一般家庭に広く普及している。
この温水洗浄便座にあるノズルは、使用時に肛門部分の下方に迫り出して温水を上方に噴出するので、水垢や汚物等で汚れやすい。そこでノズルを清潔に保つために温水洗浄便座にはノズルの自動洗浄装置が備えられており、使用前後にノズルを水洗いするようにしているが十分に洗浄することは難しく、長期間の使用により汚れが付いたり、さらに汚れが原因となってカビの発生を引き起こすなどの問題があった。
このような問題を解消するため、ノズルを清掃するためのブラシを備えたクリーナー（例えば、特許文献１参照。）、ノズルに向かって洗浄料等を噴射するエアゾール洗浄剤（例えば、特許文献２参照。）などが提案されている。
【０００３】
【特許文献１】実開平６−８２９９０号公報（第１−３頁）
【特許文献２】特開２００６−８９７６２号公報（第１−１３頁）
【発明の開示】
【発明が解決しようとする課題】
【０００４】
ところが特許文献１に記載されたクリーナーは、ノズルの細部や格納部周辺の清掃ができず、作業にも手間がかかるという問題があった。また特許文献２に記載されたエアゾール洗浄剤は、特許文献１よりも使い勝手はよく、洗浄剤をムース状に噴射するものであるが、ノズルがプラスチック製の略円柱状を呈していることから、噴射された洗浄剤がノズルに付着しないですぐに流れ落ちてしまい十分な洗浄効果を得ることはできなかった。
そこで本発明は、温水洗浄便座のノズルに噴射した際に、ノズル全体に洗浄剤がしっかりと行き渡り、細部にわたり洗浄効果を十分に得ることができる、温水洗浄便座のノズル洗浄用エアゾール製品を提供するものである。
【課題を解決するための手段】
【０００５】
本発明者らは、上記課題を解決するために鋭意検討した結果、洗浄剤を特定の泡比重を有する泡として、温水洗浄便座のノズル（以下、「洗浄ノズル」とも言う）に付着させることで洗浄ノズルがプラスチック製の略円柱状を呈しているにもかかわらず、その全体に泡状の洗浄剤がしっかりと行き渡り、細部にわたり十分な洗浄効果が得られることを見出し本発明に至った。
すなわち、本発明は以下の（１）〜（３）によって達成されるものである。
【０００６】
（１）少なくともアルコールを含む溶剤、洗浄剤および乳化、可溶化剤を配合した原液と、噴射剤とを、噴射装置を備えたエアゾール容器に充填した温水洗浄便座のノズル洗浄用エアゾール製品であって、
前記原液中、前記乳化、可溶化剤は０．１〜５質量％含有され、エアゾール製品中、前記原液が容積比で６０〜９０％であり、
前記噴射剤は、ガス圧が０．２９ＭＰａ／２５℃以上であり、エアゾール製品中、前記噴射剤が容積比で１０〜４０％であり、
噴射により洗浄剤を含む泡が形成され、前記泡が０．０２ｇ／ｍＬ以下の泡比重を有し、かつ泡膨張率が１５０％〜２５０％であることを特徴とする温水洗浄便座のノズル洗浄用エアゾール製品。
（２）前記乳化、可溶化剤として、ポリオキシエチレン硬化ヒマシ油、ポリオキシエチレンアルキルアミン、ポリオキシエチレンラウリルエーテル硫酸トリエタノールアミン、アルキルヒドロキシスルホベタインからなる群から選ばれたものを用いることを特徴とする（１）記載の温水洗浄便座のノズル洗浄用エアゾール製品。
（３）前記洗浄剤として、アルキルグルコシド、アルキル硫酸塩、アルキル硫酸アミン、アルキル硫酸アンモニウム、ポリオキシエチレンアルキル硫酸塩、ポリオキシエチレンアルキル硫酸アミン、ポリオキシエチレンアルキルエーテル酢酸塩からなる群から選ばれたものを用いることを特徴とする（１）または（２）記載の温水洗浄便座のノズル洗浄用エアゾール製品。
【発明の効果】
【０００７】
本発明は、洗浄剤を特定の泡比重を有する泡として、温水洗浄便座のノズルに付着させることで洗浄ノズルがプラスチック製の略円柱状を呈しているにもかかわらず、すぐに流れ落ちることなくその全体に泡状の洗浄剤をしっかりと行き渡らせ、十分な泡の膨張により細部にわたり洗浄効果を十分に得ることができる。
【発明を実施するための最良の形態】
【０００８】
本発明の温水洗浄便座のノズル洗浄用エアゾール製品（以下、「ノズル洗浄用エアゾール製品」とも言う）は、溶剤、洗浄剤、乳化剤等を主成分として配合した原液と噴射剤とを噴射装置を備えたエアゾール缶に充填することで製造できる。
ここでエアゾール缶内における原液と噴射剤の割合は、容積比で原液６０〜９０％に対して噴射剤１０〜４０％として配合すればよい。
そして本発明の噴射により形成される泡を所定の泡比重、さらに泡膨張率とするには、原液と噴射剤とを適切な乳化、可溶化剤を用いて均一な系としたうえで、噴射剤の割合を多くし（好ましくは３０〜４０％）、圧の高い噴射剤（好ましくは０．２９ＭＰａ／２５℃以上）を用いて所定の泡比重、泡膨張率が得られるように調製すればよい。
本発明のノズル洗浄用エアゾール製品は、噴射により形成される洗浄剤を含む泡の泡比重が０．０２ｇ／ｍＬ以下、好ましくは０．０１〜０．０２ｇ／ｍＬとするのがよい。
泡比重が０．０２ｇ／ｍＬよりも大きくなると、泡の膨張率が十分に得られず、
洗浄ノズル表面での泡の広がりも十分に得られない。
さらに泡膨張率が１５０％以上、好ましくは１８０〜２５０％とするのがよい。
上記の泡膨張率を有することで、洗浄ノズル細部や格納部内部まで洗浄剤を含んだ泡が到達して洗浄効果を得ることができる。
【０００９】
本発明のノズル洗浄用エアゾール製品に用いる原液の主成分である洗浄剤としては、例えば、アルキルグルコシド、アルキル硫酸塩、アルキル硫酸アミン、アルキル硫酸アンモニム、ポリオキシエチレンアルキル硫酸塩、ポリオキシエチレンアルキル硫酸アミン、ポリオキシエチレンアルキルエーテル酢酸塩等が挙げられる。
これらは原液中に０．１〜５質量％、好ましくは０．３〜２質量％として配合できる。
原液の他の主成分である溶剤として、例えば、精製水、脱イオン水等の水、エタノール、プロピルアルコール、イソプロピルアルコール等のアルコール、ミリスチン酸イソプロピル、パルミチン酸イソプロピル等の脂肪酸エステル等が挙げられる。
中でも、水とエタノールとの混合溶剤が適しており、容積比で水６５〜９５％に対してエタノール５〜３５％として配合するのがよい。
【００１０】
原液のその他の主成分である乳化、可溶化剤としては、例えば、ポリオキシエチレン硬化ヒマシ油、ポリオキシエチレンアルキルアミン等の非イオン界面活性剤、ポリオキシエチレンラウリルエーテル硫酸トリエタノールアミン等の陰イオン界面活性剤、アルキルヒドロキシスルホベタイン等の両性界面活性剤等が挙げられる。
これらは原液中に０．１〜５質量％、好ましくは０．１〜１質量％として配合できる。
これらの中でも、本発明の泡比重、膨張率を達成するうえで、ポリオキシエチレン硬化ヒマシ油が好ましい。具体的には、ポリオキシエチレン（５）〜（１００）硬化ヒマシ油が挙げられる。
【００１１】
噴射剤としては、例えば、プロパン、ｎ−ブタン、イソブタン等の液化石油ガス、ジメチルエーテル、ＣＦＣ、ＨＣＦＣ、ＨＦＣ等のクロロフロロカーボン等の液化ガス、窒素、炭酸ガス、圧縮空気、亜酸化窒素等の圧縮ガスの１種又は２種以上を用いることができる。
これらの中でも、本発明の泡比重、膨張率を達成するうえで、プロパン、ｎ−ブタン、イソブタン等の液化石油ガスが好ましい。また液化石油ガスの圧としては、０．２９ＭＰａ／２５℃以上が好ましく、０．３９〜０．４９ＭＰａ／２５℃がより好ましい。
本発明のノズル洗浄用エアゾール製品の原液には、洗浄剤等の主成分の他にも、チャ、カキ、ツバキ、タケ、グレープフルーツ、ユズ、ミカン、レモン等の各種植物抽出物、銀や銅等の金属化合物、そのイオン等の消臭、防臭剤、イソプロピルメチルフェノール、塩化ベンザルコニム、塩化ベンゼトニウム、銀や銅等の金属化合物、そのイオン等の抗菌、殺菌剤、フッ素系界面活性剤、ポリエーテル変性シリコーン等の被膜形成剤、クエン酸等の防錆剤、ＢＨＡ、ＢＨＴ等の酸化防止剤、フローラル、ブーケ、シトラス等の香料等を配合してもよい。
【００１２】
本発明のノズル洗浄用エアゾール製品の外観形状としては、特に限定されないが、例えば、図１（A）に示すようなものが挙げられる。
図１（A）において、ノズル洗浄用エアゾール製品１は、エアゾール容器２と、レバー（操作手段）３を有するキャップ４を有し、キャップの噴射口に脱着可能なロングノズル５を、必要に応じて使用することができる。
本発明のノズル洗浄用エアゾール製品１は、図１（A）に示したようにロングノズル５を着脱可能に備えており、このようなロングノズルを用いて噴射することで、便座の洗浄ノズル細部や格納部内部まで洗浄剤を含む液を到着させて、より優れた洗浄効果を得ることができる。このようなロングノズル５としては、例えば、直径０．５〜３ｍｍは、長さ５０〜１５０ｍｍ、材質としては、プラスチックが適しており、ポリプロピレン、ポリエチレンが好適である。
また本発明のノズル洗浄用エアゾール製品の噴射装置としては、噴口径０．３〜１．５ｍｍのボタン（レバー）、ステム径０．３〜１．２ｍｍ（孔数１〜３）、アンダータップ０．３〜２．２ｍｍのバルブを備えたものがよく、ベーパータップはあってもなくてもよい。
このような噴射装置を用いて、約１５ｇ／１０秒以上、好ましくは２０ｇ〜４０ｇ／１０秒の噴射量が得られるようにするのがよい。
【００１３】
温水洗浄便座の洗浄ノズルを洗浄するに際しては、本発明のノズル洗浄用エアゾール製品を前記洗浄ノズルに向かって、例えば、１〜５ｃｍの距離から、１〜２秒間程度噴射して、１分以上、好ましくは４〜６分程度放置すればよい。これにより本発明の特定の泡による作用により、洗浄ノズル表面の全体を覆って、付着した汚れを浮かせて、汚れを除去することができる。
また、本発明のノズル洗浄用エアゾール製品には、図１（A）に示すようなエアゾール１本体に、さらに図１（B）に示すようなブラシ６が付属していても良い。
洗浄ノズルの汚れが頑固な場合には、図１（B）に示したようなブラシ６やトイレットペーパー等で擦ったり、ふき取ればより簡単に汚れを除去することができる。
なおブラシの刷毛は、複数列を配し、相互にずらして設けるとよく、洗浄ノズルの噴水口等の細部の汚れを効率的に除去するのに好適である。
上記のようにブラシを付属させる他にも、刷毛をロングノズル先端に設けたり、ブラシの柄部分を中空環状としてロングノズルのようにして噴射装置に取り付けたりして、ブラシ先端部の開口より洗浄剤を含む泡を噴射、形成させるようにしてもよい。またロングノズルを切替バルブを介して噴射装置と連結させることにより、通常噴射との選択ができるようにもできる。
【実施例】
【００１４】
以下、実施例により本発明を詳細に説明するが、本発明はこれらに限定されるものではない。
〔実施例１〕
本発明のノズル洗浄用エアゾール製品として、下記表１に示す組成の原液と噴射剤とを図１に示す外観形状の容器に２００ｍＬ充填した本発明のノズル洗浄用エアゾール製品を調製し試験に用いた。
なお、噴射装置は、噴口径０．８ｍｍ、ステム径０．６ｍｍ、アンダータップ径２．２ｍｍ（孔数１）、ベーパータップなしである。またロングノズルは、直径１．５ｍｍ、長さ１３４ｍｍのポリプロピレン製である。
噴射剤である液化石油ガスは、０．３９ＭＰａ／２５℃の圧のものを用いた。また噴射量は約２．７ｇ／秒とした。
【００１５】
【表１】
0005453665.tif 000002
【００１６】
〔実施例２〕
乳化剤として、ポリオキシエチレン（30）硬化ヒマシ油を、ポリオキシエチレンラウリルエーテル硫酸トリエタノールアミンに代えた以外は実施例１と同様のエアゾール製品を用いた。
〔実施例３〕
乳化剤として、ポリオキシエチレン（30）硬化ヒマシ油を、ポリオキシエチレンアルキルアミンに代えた以外は実施例１と同様のエアゾール製品を用いた。
【００１７】
〔比較例１〕
アイメディア（株）製の「温水洗浄便座のノズルクリーナー」を用いた。
〔比較例２〕
木村石鹸工業（株）製の「トイレのノズル洗浄剤」を用いた。
〔比較例３〕
（株）東京企画販売の「ノズルフレッシャー」を用いた。
【００１８】
〔試験１〕
図２に示すように、洗浄ノズルに見立てたφ２ｃｍ、長さ１３ｃｍの円柱状プラスチック（表面に同心円状の１ｃｍ間隔の目盛をふったもの）に検体を１ｇ噴射し、円柱状プラスチック表面上での泡の広がりを測定した。結果を下記表２に示す。
【００１９】
【表２】
0005453665.tif 000003
【００２０】
同じ量の内容物を噴射した際、実施例１は、比較例１〜３よりも、広範囲に円柱状プラスチックの横側から下側まで泡が行きわたることが確認された。
実施例１は泡が円柱状プラスチック表面の全体に沿って広がるのに対し、比較例１〜３は泡が上側表面の上に盛り上がっていくものであった。また、円柱状プラスチックに噴射した際に、実施例１は、比較例１〜３と比較して、内容物が表面にまとわりつきながら発泡するため、横側から下側まで泡が行きわたると考えられる。
【００２１】
〔試験２〕
図３に示すように、φ１．５ｃｍ、高さ２０ｃｍのプラスチックの筒（一方をプラスチック板でふさいだもの）の中に開いている側から検体を１ｇ噴射し、噴射直後から体積膨張が停止するまでの体積変化、及び時間を測定した。結果を下記表３に示す。
【００２２】
【表３】
0005453665.tif 000004
【００２３】
比較例１〜３は内容物が泡状で噴射されるから体積膨張はほとんどないのに対して、実施例１〜３は噴射後から体積膨張がはっきりと確認される。
実施例１〜３は１５０％以上の膨張率があること、且つ膨張するまでの時間が１秒以上であり、内容物がゆっくりと発泡することですみずみまで泡が行き渡ると考える。
【００２４】
〔試験３〕
泡比重計量カップ（１１８．８３ｍＬ）とフタの重量を測りとり、次にカップに検体を噴射して前記カップ内に泡を満たし、泡の見かけ量が最大の時点で、素早くフタで前記カップ上面を横切るように塞ぎ、余分な泡を取り除いた。そして総重量を計り、前記カップとフタの重量をひくことで泡の重量を算出した。測定は２５℃条件下で行い、さらに図１（Ａ）のロングノズルを付けた場合と付けない場合の双方について評価した。結果を以下の表４に示す。
【００２５】
【表４】
0005453665.tif 000005
【００２６】
実施例１〜３はすべて泡比重０．０２ｇ／ｍＬ以下であった。またロングノズルの有無で泡比重に大きな違いはなかった。
【００２７】
〔試験４〕
実施例１及び比較例１〜３の検体を、実際に便座の洗浄ノズルに適用し泡の付着状態を観察した。
詳細には、実施例１及び比較例１〜３の検体を、便座の洗浄ノズルに、１秒間噴射して、噴射５秒後の泡状態を観察した。
実施例１、比較例１、比較例２及び比較例３の観察結果の写真を、それぞれ、図４〜７に示す。
実施例１は洗浄ノズル全体に泡がまとわりついているのに対して、比較例１〜３は流れ落ちて洗浄ノズルには半分以下しか残っていなかった。
【００２８】
〔試験５〕
便座の洗浄ノズルに対する実使用場面での洗浄効果（汚れ除去効果）について試験を行った。
詳細には、イナックス社製の便座の洗浄ノズル（長径１２．５ｍｍ、短径１０．５ｍｍ、長さ１３０ｍｍのプラスチック製の楕円柱形状）を約３０度上方に向けて固定し（実際の製品を再現）、蛍光ペンで洗浄ノズル全体を着色し模擬汚れとし、約５ｃｍの距離から実施例１及び比較例２の検体をロングノズル付きで、それぞれ０．５ｇを噴射した。
各検体の噴射前の模擬汚れの付いた洗浄ノズルの上下、エアゾール噴射後に泡が形成された所謂泡洗浄中の洗浄ノズル（泡の形成状態）の上および斜め上方、エアゾール噴射約１分後の洗浄ノズルの上下を観察し、カラー写真撮影した。なお、該写真を本願の図面として添付を試みたが、モノクロ写真とした場合に、模擬汚れである蛍光ペンの色の有無を正しく示すことができなくなったため、該観察状況を図８（実施例１）及び図９（比較例２）に図示した。図面で黒く影を付した所が模擬汚れである。
実施例１は、泡が、洗浄ノズルの下側にも形成され、それが流れ落ちずに付着されていた。１分後には泡も殆ど消えて、模擬汚れは殆どなくなっていた。これに対し、比較例２は形成された泡が、洗浄ノズルの上側にはあったが、横側から下側について泡はすぐに流れ落ちてしまっていた。１分後には、模擬汚れは、洗浄ノズルの上側では５０〜６０％程度なくなっていたが、横側から下側はそのまま残っていた。
比較例１及び比較例３についても同様の試験を行ったところ、比較例２と同様の結果となった。
【図面の簡単な説明】
【００２９】
【図１】本発明のノズル洗浄用エアゾール製品の１例の概略図であり、（A）エアゾール製品本体を、（B）は付属していてもよいブラシを示す。
【図２】実施例の試験１の手法の概略図である。
【図３】実施例の試験２の手法の概略図である。
【図４】実施例の試験４における実施例１の観察結果を示す写真である。
【図５】実施例の試験４における比較例１の観察結果を示す写真である。
【図６】実施例の試験４における比較例２の観察結果を示す写真である。
【図７】実施例の試験４における比較例３の観察結果を示す写真である。
【図８】実施例の試験５における実施例１の観察結果を示す図である。
【図９】実施例の試験５における比較例２の観察結果を示す図である。
【符号の説明】
【００３０】
１    ノズル洗浄用エアゾール製品
２    エアゾール容器
３    レバー（操作手段）
４    キャップ
５    ロングノズル
６    ブラシ
【図１】
0005453665.tif 000006
【図２】
0005453665.tif 000007
【図３】
0005453665.tif 000008
【図８】
0005453665.tif 000009
【図９】
0005453665.tif 000010
【図４】
0005453665.tif 000011
【図５】
0005453665.tif 000012
【図６】
0005453665.tif 000013
【図７】
0005453665.tif 000014